(57)【要約】【課題】サイマル放送の選局に適した利便性の高い選局システムを実現する。【解決手段】ユーザの選局操作により生成されるユーザ選局信号と地上アナログ放送波と地上デジタル放送波を入力としてサイマル放送選局信号を出力するサイマル放送検出回路と前記サイマル放送検出回路の出力と地上アナログ放送波と地上デジタル放送波を入力として選局を行う選局回路を具備し、サイマル放送を受像する際にアナログ放送とデジタル放送のうちより高画質な視聴が可能な放送を自動的に選択する。【選択図】図１
2005229247.tif 000002
【特許請求の範囲】
【請求項１】
ユーザの選局操作により生成されるユーザ選局信号と地上アナログ放送波と地上デジタル放送波を入力とし、サイマル放送選局信号を出力するサイマル放送検出回路と前記サイマル放送検出回路の出力と地上アナログ放送波と地上デジタル放送波を入力として選局を行う選局回路を具備し、サイマル放送を受像する際にアナログ放送とデジタル放送のうちより高画質な視聴が可能な放送を自動的に選択することを特徴とする選局装置。
【請求項２】
ユーザの選局操作により生成されるユーザ選局信号と地上アナログ放送波と地上デジタル放送波を入力としてサイマル放送選局信号を出力するサイマル放送検出回路と前記サイマル放送検出回路の出力と地上アナログ放送波と地上デジタル放送波を入力として選局を行う選局回路と前記選局回路の出力と前記サイマル放送検出回路の出力を入力として選局された放送とＯＳＤを表示する表示装置を具備し、サイマル放送を受像する際にアナログ放送とデジタル放送のうちより高画質な視聴が可能な放送を選択したことをＯＳＤ表示することを特徴とする選局装置。
【請求項３】
前記サイマル放送検出回路はＥＰＧ情報に基づきサイマル放送の有無を検出することを特徴とした、請求項１もしくは請求項２に記載の選局装置。
【請求項４】
前記サイマル放送検出回路は放送局が放送波により送信するサイマル放送情報に基づきサイマル放送の有無を検出することを特徴とした、請求項１もしくは請求項２に記載の選局装置。
【請求項５】
前記サイマル放送検出回路はＥＰＧ情報に基づき高画質放送の選択を行うことを特徴とした、請求項１もしくは請求項２に記載の選局装置。
【請求項６】
前記サイマル放送検出回路は電界強度に基づき高画質放送の選択を行うことを特徴とした、請求項１もしくは請求項２に記載の選局装置。
【請求項７】
前記サイマル放送検出回路は映像フォーマットに基づき高画質放送の選択を行うことを特徴とした、請求項１もしくは請求項２に記載の選局装置。
【請求項８】
前記サイマル放送検出回路はワイド画面検出に基づき高画質放送の選択を行うことを特徴とした、請求項１もしくは請求項２に記載の選局装置。
【発明の詳細な説明】
【技術分野】
【０００１】
本発明はサイマル放送での選局に関し、特により高画質な視聴が可能な放送を自動的に選択する選局装置に関する。
【背景技術】
【０００２】
従来のテレビ放送選局システムにおいては、適当な放送に対して固有の選局スイッチを備える方式と、スイッチ操作によって放送を順に切り替えるチャンネルシフトスイッチを備える方式と直接チャンネルを指定するためのテンキーを備える方式が用いられている（例えば特許文献１）。これら従来方式を１つもしくは２つ以上併用することで、従来放送において利便性の高い選局を実現している。
【特許文献１】特開平６−８６２８０号公報
【発明の開示】
【発明が解決しようとする課題】
【０００３】
地上デジタル放送が開始された後も２０１１年にアナログ放送が全面停止となるまでは、地上デジタル放送と地上アナログ放送で同じ番組が並行して放送される（サイマル放送）。このとき視聴者がより画質の良い放送を選択するためには、サイマル放送の有無を確認した後に再度選択する必要があり、極めて不便である。またサイマル放送の有無を確認することを怠れば、より画質の悪い放送を視聴しつづける可能性がある。
【課題を解決するための手段】
【０００４】
サイマル放送検出回路と前期検出回路の出力に基づいて選局する選局回路を有する。
【０００５】
本発明は前記した構成により、サイマル放送を自動的に判別してより高画質に視聴可能な放送を選局する。
【発明の効果】
【０００６】
本発明によれば、サイマル放送検出回路と前記検出回路の出力に基づいて選局する選局回路を備えることで、視聴者が意識することなくより高画質な映像信号を選択的に視聴することができることから、サイマル放送の選局に適した利便性の高い選局装置を実現することができ、その実用的効果は大きい。
【発明を実施するための最良の形態】
【０００７】
（実施の形態１）
図１は本発明の一実施例におけるサイマル放送対応選局装置のブロック図を示す。図１において、１０１はユーザの選局操作により生成されるユーザ選局信号と地上アナログ放送波と地上デジタル放送波を入力としてサイマル放送選局信号を出力するサイマル放送検出回路であり、１０２は前記サイマル放送検出回路の出力と地上アナログ放送波と地上デジタル放送波を入力として選局を行う選局回路である。
【０００８】
以上のように構成されたサイマル放送対応選局装置について以下その動作説明を行う。まず、ユーザの選局操作により生成されるユーザ選局信号と地上アナログ放送波と地上デジタル放送波を入力とするサイマル放送検出回路１０１においてユーザの選局した放送のサイマル放送の有無を判断する。サイマル放送がある場合にはより高画質な視聴が可能な放送を自動的に選択し直し、またサイマル放送がない場合にはユーザが選局した放送を選択する。前記サイマル放送検出回路は前記選択した放送に固有のサイマル放送選局信号を出力する。次に出力された前記サイマル放送選局信号と地上アナログ放送と地上デジタル放送は、選局回路１０２へ入力されて前記サイマル放送選局信号に基づいて選局を行う。
【０００９】
以上のように本実施の形態１によれば、サイマル放送を受像する際にアナログ放送とデジタル放送のうちより高画質な視聴が可能な放送を自動的に選択することが可能となる。
【００１０】
なお、信号処理の都合上、デジタル放送がアナログ放送に対して数秒間（約２秒）遅延するので、例えばアナログからデジタルへの自動選択の際に、ユーザに不快感を与える可能性がある。そこで、アナログ放送波の信号処理系に、デジタル放送波の信号処理系との処理時間差を無くすだけの遅延素子（または遅延処理）を設けても良い。
【００１１】
また、アナログからデジタルへの自動選択に際し、音圧（または音量）や映像表示に差が出ない様に調整する図示しない制御部を設けても良い。
【００１２】
また、サイマル形態で同じコンテンツが重複して伝送されているので、表示されているチャンネルとは異なるチャンネルの裏録画が可能である。そこで、裏録画の再には（デジタル放送波の選局回路をもちいて）高画質のデジタルストリームを記録し、表示はアナログ放送波の選局回路を用いればよい。
【００１３】
（実施の形態２）
図２は本発明の一実施例におけるサイマル放送対応選局装置のブロック図を示す。図２において、２０１はユーザの選局操作により生成されるユーザ選局信号と地上アナログ放送波と地上デジタル放送波を入力としてサイマル放送選局信号を出力するサイマル放送検出回路であり、２０２は前記サイマル放送検出回路の出力と地上アナログ放送波と地上デジタル放送波を入力として選局を行う選局回路である。２０３は前記選局回路の出力と前記サイマル放送検出回路の出力を入力として選局された放送とＯＳＤを表示する表示装置である。
【００１４】
以上のように構成されたサイマル放送対応選局装置について以下その動作説明を行う。まず、ユーザの選局操作により生成されるユーザ選局信号と地上アナログ放送波と地上デジタル放送波を入力とするサイマル放送検出回路２０１においてユーザの選局した放送のサイマル放送の有無を判断する。サイマル放送がある場合にはより高画質な視聴が可能な放送を自動的に選択し直し、またサイマル放送がない場合にはユーザが選局した放送を選択する。前記サイマル放送検出回路は前記選択した放送に固有のサイマル放送選局信号を出力する。次に出力された前記サイマル放送選局信号と地上アナログ放送と地上デジタル放送は、選局回路２０２へ入力されて前記サイマル放送選局信号に基づいて選局を行う。前記選局回路で選局された放送と前記サイマル放送選局信号が表示装置２０３へ入力されて、前記選局された放送を表示するとともに前記サイマル放送選局信号に基づくＯＳＤを表示する。
【００１５】
以上のように本実施の形態２によれば、サイマル放送を受像する際にアナログ放送とデジタル放送のうちより高画質な視聴が可能な放送を自動的に選択することが可能であり、またサイマル放送検出回路により自動的に高画質な放送が選択されたことを視覚的に認識できる。
【００１６】
（実施の形態３）
図３は本発明の一実施例におけるサイマル放送検出回路のブロック図を示す。図３において、３０１はユーザの選局操作により生成されるユーザ選局信号と地上アナログ放送波と地上デジタル放送波を入力としてサイマル放送選局信号を出力するサイマル放送検出回路であり、３０２は前記地上アナログ放送波と前記地上デジタル放送波を入力としてＥＰＧ情報からサイマル放送の有無を検出してサイマル放送検出結果を出力するＥＰＧ情報検出回路であり、３０３は前記ＥＰＧ情報検出回路の出力と前記ユーザ選局信号を入力として、サイマル放送選局信号を出力する高画質放送選択回路である。前記ＥＰＧ情報検出回路と前記高画質放送選択回路は前記サイマル放送検出回路の構成要素である。
【００１７】
以上のように構成されたサイマル放送検出回路について以下その動作説明を行う。まず地上アナログ放送波と地上デジタル放送波を入力とするＥＰＧ情報検出回路３０２において前記地上アナログ放送波と前記地上デジタル放送波からＥＰＧ情報を取得して放送中の番組に対してサイマル放送の有無を検出してサイマル放送検出結果を出力する。つぎに前記ＥＰＧ情報検出回路３０２の出力とユーザ選局信号と入力とする高画質放送選択回路３０３において、前記ユーザ選局信号により特定される放送にサイマル放送がある場合にはより高画質な視聴が可能な放送を自動的に選択し直し、またサイマル放送がない場合にはユーザが選局した放送を選択する。前記高画質放送選択回路３０３は前記選択した放送に固有のサイマル放送選局信号を出力する。
【００１８】
以上のように本実施の形態３によれば、ＥＰＧ情報に基づきサイマル放送の有無を検出することが可能である。
【００１９】
（実施の形態４）
図４は本発明の一実施例におけるサイマル放送検出回路のブロック図を示す。図４において、４０１はユーザの選局操作により生成されるユーザ選局信号と地上アナログ放送波と地上デジタル放送波を入力としてサイマル放送選局信号を出力するサイマル放送検出回路であり、４０２は前記地上アナログ放送波と前記地上デジタル放送波を入力として放送局が放送波により送信するサイマル放送情報に基づきサイマル放送の有無を検出してサイマル放送検出結果を出力するサイマル情報検出回路であり、４０３は前記サイマル情報検出回路の出力と前記ユーザ選局信号を入力として、サイマル放送選局信号を出力する高画質放送選択回路である。前記サイマル情報検出回路と前記高画質放送選択回路は前記サイマル放送検出回路の構成要素である。
【００２０】
以上のように構成されたサイマル放送検出回路について以下その動作説明を行う。まず地上アナログ放送波と地上デジタル放送波を入力とするサイマル情報検出回路４０２において前記地上アナログ放送波と前記地上デジタル放送波から放送局が放送波により送信するサイマル放送情報を取得して放送中の番組に対してサイマル放送の有無を検出してサイマル放送検出結果を出力する。前記サイマル放送情報は少なくとも放送中の番組に対してサイマル放送の有無が特定できる情報を含む。つぎに前記サイマル情報検出回路４０２の出力とユーザ選局信号と入力とする高画質放送選択回路４０３において、前記ユーザ選局信号により特定される放送にサイマル放送がある場合にはより高画質な視聴が可能な放送を自動的に選択し直し、またサイマル放送がない場合にはユーザが選局した放送を選択する。前記高画質放送選択回路４０３は前記選択した放送に固有のサイマル放送選局信号を出力する。
【００２１】
以上のように本実施の形態４によれば、放送局が放送波により送信するサイマル放送情報に基づきサイマル放送の有無を検出することが可能である。
【００２２】
（実施の形態５）
図５は本発明の一実施例におけるサイマル放送検出回路のブロック図を示す。図５において、５０１はユーザの選局操作により生成されるユーザ選局信号と地上アナログ放送波と地上デジタル放送波を入力としてサイマル放送選局信号を出力するサイマル放送検出回路であり、５０２は前記地上アナログ放送波と前記地上デジタル放送波を入力としてＥＰＧ情報からサイマル放送のうちより高画質に視聴可能な放送を検出してサイマル放送検出結果を出力するＥＰＧ情報検出回路であり、５０３は前記ＥＰＧ情報検出回路の出力と前記ユーザ選局信号を入力として、サイマル放送選局信号を出力する高画質放送選択回路である。前記ＥＰＧ情報検出回路と前記高画質放送選択回路は前記サイマル放送検出回路の構成要素である。
【００２３】
以上のように構成されたサイマル放送検出回路について以下その動作説明を行う。まず地上アナログ放送波と地上デジタル放送波を入力とするＥＰＧ情報検出回路５０２において前記地上アナログ放送波と前記地上デジタル放送波からＥＰＧ情報を取得して放送中の番組に対してサイマル放送のうちより高画質に視聴可能な放送を検出してサイマル放送検出結果を出力する。つぎに前記ＥＰＧ情報検出回路５０２の出力とユーザ選局信号と入力とする高画質放送選択回路５０３において、前記ユーザ選局信号により特定される放送にサイマル放送がある場合にはより前記ＥＰＧ情報検出回路５０２の出力に基づき高画質な視聴が可能な放送を自動的に選択し直し、またサイマル放送がない場合にはユーザが選局した放送を選択する。前記高画質放送選択回路５０３は前記選択した放送に固有のサイマル放送選局信号を出力する。
【００２４】
以上のように本実施の形態５によれば、ＥＰＧ情報に基づき高画質放送の選択を行うことが可能である。
【００２５】
（実施の形態６）
図６は本発明の一実施例におけるサイマル放送検出回路のブロック図を示す。図６において、６０１はユーザの選局操作により生成されるユーザ選局信号と地上アナログ放送波と地上デジタル放送波を入力としてサイマル放送選局信号を出力するサイマル放送検出回路であり、６０２は前記地上アナログ放送波と前記地上デジタル放送波を入力として電界強度からサイマル放送のうちより高画質に視聴可能な放送を検出してサイマル放送検出結果を出力する電界強度検出回路であり、６０３は前記電界強度検出回路の出力と前記ユーザ選局信号を入力として、サイマル放送選局信号を出力する高画質放送選択回路である。前記電界強度検出回路と前記高画質放送選択回路は前記サイマル放送検出回路の構成要素である。
【００２６】
以上のように構成されたサイマル放送検出回路について以下その動作説明を行う。まず地上アナログ放送波と地上デジタル放送波を入力とする電界強度検出回路６０２において前記地上アナログ放送波と前記地上デジタル放送波から電界強度を観測して放送中の番組に対してサイマル放送のうちより高画質に視聴可能な放送を検出してサイマル放送検出結果を出力する。つぎに前記電界強度検出回路６０２の出力とユーザ選局信号と入力とする高画質放送選択回路６０３において、前記ユーザ選局信号により特定される放送にサイマル放送がある場合にはより前記電界強度検出回路６０２の出力に基づき高画質な視聴が可能な放送を自動的に選択し直し、またサイマル放送がない場合にはユーザが選局した放送を選択する。前記高画質放送選択回路６０３は前記選択した放送に固有のサイマル放送選局信号を出力する。
【００２７】
以上のように本実施の形態６によれば、電界強度に基づき高画質放送の選択を行うことが可能である。
【００２８】
（実施の形態７）
図７は本発明の一実施例におけるサイマル放送検出回路のブロック図を示す。図７において、７０１はユーザの選局操作により生成されるユーザ選局信号と地上アナログ放送波と地上デジタル放送波を入力としてサイマル放送選局信号を出力するサイマル放送検出回路であり、７０２は前記地上アナログ放送波と前記地上デジタル放送波を入力として映像フォーマットからサイマル放送のうちより高画質に視聴可能な放送を検出してサイマル放送検出結果を出力するフォーマット検出回路であり、７０３は前記フォーマット検出回路の出力と前記ユーザ選局信号を入力として、サイマル放送選局信号を出力する高画質放送選択回路である。前記フォーマット検出回路と前記高画質放送選択回路は前記サイマル放送検出回路の構成要素である。
【００２９】
以上のように構成されたサイマル放送検出回路について以下その動作説明を行う。まず地上アナログ放送波と地上デジタル放送波を入力とするフォーマット検出回路７０２において前記地上アナログ放送波と前記地上デジタル放送波から映像フォーマットを取得して放送中の番組に対してサイマル放送のうちより高画質に視聴可能な放送を検出してサイマル放送検出結果を出力する。つぎに前記フォーマット検出回路７０２の出力とユーザ選局信号と入力とする高画質放送選択回路７０３において、前記ユーザ選局信号により特定される放送にサイマル放送がある場合にはより前記フォーマット検出回路６０２の出力に基づき高画質な視聴が可能な放送を自動的に選択し直し、またサイマル放送がない場合にはユーザが選局した放送を選択する。前記高画質放送選択回路７０３は前記選択した放送に固有のサイマル放送選局信号を出力する。
【００３０】
以上のように本実施の形態７によれば、映像フォーマットに基づき高画質放送の選択を行うことが可能である。
【００３１】
（実施の形態８）
図８は本発明の一実施例におけるサイマル放送検出回路のブロック図を示す。図８において、８０１はユーザの選局操作により生成されるユーザ選局信号と地上アナログ放送波と地上デジタル放送波を入力としてサイマル放送選局信号を出力するサイマル放送検出回路であり、８０２は前記地上アナログ放送波と前記地上デジタル放送波を入力としてワイド画面か否かの情報からサイマル放送のうちより高画質に視聴可能な放送を検出してサイマル放送検出結果を出力するワイド画面検出回路であり、８０３は前記ワイド画面検出回路の出力と前記ユーザ選局信号を入力として、サイマル放送選局信号を出力する高画質放送選択回路である。前記ワイド画面検出回路と前記高画質放送選択回路は前記サイマル放送検出回路の構成要素である。
【００３２】
以上のように構成されたサイマル放送検出回路について以下その動作説明を行う。まず地上アナログ放送波と地上デジタル放送波を入力とするワイド画面検出回路８０２において前記地上アナログ放送波と前記地上デジタル放送波からワイド画面か否かの情報を検出して放送中の番組に対してサイマル放送のうちより高画質に視聴可能な放送を検出してサイマル放送検出結果を出力する。つぎに前記ワイド画面検出回路８０２の出力とユーザ選局信号と入力とする高画質放送選択回路８０３において、前記ユーザ選局信号により特定される放送にサイマル放送がある場合にはより前記ワイド画面検出回路８０２の出力に基づき高画質な視聴が可能な放送を自動的に選択し直し、またサイマル放送がない場合にはユーザが選局した放送を選択する。前記高画質放送選択回路８０３は前記選択した放送に固有のサイマル放送選局信号を出力する。
【００３３】
以上のように本実施の形態８によれば、ワイド画面か否かの情報に基づき高画質放送の選択を行うことが可能である。
【００３４】
（実施の形態９）
図９は本発明の一実施例におけるサイマル放送検出回路のブロック図を示す。図９において、９０１はユーザの選局操作により生成されるユーザ選局信号と地上アナログ放送波と地上デジタル放送波を入力としてサイマル放送選局信号を出力するサイマル放送検出回路であり、９０２は前記地上アナログ放送波と前記地上デジタル放送波を入力として放送局が放送波により送信するサイマル放送情報からサイマル放送のうちより高画質に視聴可能な放送を検出してサイマル放送検出結果を出力するサイマル情報検出回路であり、９０３は前記サイマル情報検出回路の出力と前記ユーザ選局信号を入力として、サイマル放送選局信号を出力する高画質放送選択回路である。前記サイマル情報検出回路と前記高画質放送選択回路は前記サイマル放送検出回路の構成要素である。
【００３５】
以上のように構成されたサイマル放送検出回路について以下その動作説明を行う。まず地上アナログ放送波と地上デジタル放送波を入力とするサイマル情報検出回路９０２において前記地上アナログ放送波と前記地上デジタル放送波から放送局が放送波により送信するサイマル放送情報を取得して放送中の番組に対してサイマル放送のうちより高画質に視聴可能な放送を検出してサイマル放送検出結果を出力する。前記サイマル放送情報は少なくとも放送中の番組に対してサイマル放送の画質比較が可能な情報を含む。つぎに前記サイマル情報検出回路９０２の出力とユーザ選局信号と入力とする高画質放送選択回路９０３において、前記ユーザ選局信号により特定される放送にサイマル放送がある場合にはより前記サイマル情報検出回路９０２の出力に基づき高画質な視聴が可能な放送を自動的に選択し直し、またサイマル放送がない場合にはユーザが選局した放送を選択する。前記高画質放送選択回路９０３は前記選択した放送に固有のサイマル放送選局信号を出力する。
【００３６】
以上のように本実施の形態８によれば、放送局が放送波により送信するサイマル放送情報に基づき高画質放送の選択を行うことが可能である。
【産業上の利用可能性】
【００３７】
本発明に係るサイマル放送対応選局装置は、サイマル放送検出回路と前期検出回路の出力に基づいて選局する選局回路を備えることで、視聴者が意識することなくより高画質な映像信号を選択的に視聴することができる効果を有し、サイマル放送対応の選局装置として有用である。
【図面の簡単な説明】
【００３８】
【図１】本発明の第一の実施の形態におけるサイマル放送対応選局装置のブロック図
【図２】本発明の第二の実施の形態におけるサイマル放送対応選局装置のブロック図
【図３】本発明の第三の実施の形態におけるサイマル放送検出回路のブロック図
【図４】本発明の第四の実施の形態におけるサイマル放送検出回路のブロック図
【図５】本発明の第五の実施の形態におけるサイマル放送検出回路のブロック図
【図６】本発明の第六の実施の形態におけるサイマル放送検出回路のブロック図
【図７】本発明の第七の実施の形態におけるサイマル放送検出回路のブロック図
【図８】本発明の第八の実施の形態におけるサイマル放送検出回路のブロック図
【図９】本発明の第九の実施の形態におけるサイマル放送検出回路のブロック図
【符号の説明】
【００３９】
１０１    サイマル放送検出回路
１０２    選局回路
２０１    サイマル放送検出回路
２０２    選局回路
２０３    表示装置
３０１    サイマル放送検出回路
３０２    ＥＰＧ情報検出回路
３０３    高画質放送選択回路
４０１    サイマル放送検出回路
４０２    サイマル情報検出回路
４０３    高画質放送選択回路
５０１    サイマル放送検出回路
５０２    ＥＰＧ情報検出回路
５０３    高画質放送選択回路
６０１    サイマル放送検出回路
６０２    電界強度検出回路
６０３    高画質放送選択回路
７０１    サイマル放送検出回路
７０２    フォーマット検出回路
７０３    高画質放送選択回路
８０１    サイマル放送検出回路
８０２    ワイド画面検出回路
８０３    高画質放送選択回路
９０１    サイマル放送検出回路
９０２    サイマル情報検出回路
９０３    高画質放送選択回路
【図１】
2005229247.tif 000003
【図２】
2005229247.tif 000004
【図３】
2005229247.tif 000005
【図４】
2005229247.tif 000006
【図５】
2005229247.tif 000007
【図６】
2005229247.tif 000008
【図７】
2005229247.tif 000009
【図８】
2005229247.tif 000010
【図９】
2005229247.tif 000011